【手続補正書】
【提出日】平成18年4月6日(2006.4.6)
【手続補正１】
【補正対象書類名】明細書
【補正対象項目名】発明の名称
【補正方法】変更
【補正の内容】
【発明の名称】写真プリント提供装置および方法ならびにプログラム
【手続補正２】
【補正対象書類名】明細書
【補正対象項目名】特許請求の範囲
【補正方法】変更
【補正の内容】
【特許請求の範囲】
【請求項１】
被写体の撮像映像を取得する撮影手段と、被写体の前景に合成される前景画像および被写体の後景に合成される後景画像を記憶する記憶手段と、上記撮影手段による撮像映像から被写体を抽出するとともに抽出された被写体以外の部分に上記後景画像を合成する後景合成手段と、上記後景合成手段で合成された画像に上記前景画像を合成する前景合成手段と、上記後景合成手段および前景合成手段で合成された合成映像を表示する表示手段と、上記表示手段にリアルタイムに上記合成映像を表示するとともに、上記撮影手段のシャッタ動作を制御する制御手段とを備えたことを特徴とする写真プリント提供装置。
【請求項２】
上記前景合成手段は、上記前景画像を領域ごとに合成状態を定義する定義情報に基づいて合成を行う請求項１記載の写真プリント提供装置。
【請求項３】
上記制御手段は、表示手段にリアルタイムに合成映像を表示する際、撮像映像の上下を逆転するとともに前景画像および後景画像の上下をそのままの状態にした合成映像を表示手段に表示する請求項１または２記載の写真プリント提供装置。
【請求項４】
上記前景画像および／または後景画像が動画像であり、上記制御手段は、撮影手段のシャッタ動作のタイミングにおける合成映像に対応する合成用静止画を取得するよう制御する請求項１〜３のいずれか一項に記載の写真プリント提供装置。
【請求項５】
上記制御手段は、上記シャッタ動作の前に、上記表示手段による合成映像の表示中に前景画像および／または後景画像の切り換えを可能とするよう制御する請求項１〜４のいずれか一項に記載の写真プリント提供装置。
【請求項６】
上記制御手段は、上記記憶手段に記憶された前景画像と後景画像の組合せの中から、所望の前景画像と後景画像の組合せの選択を可能とするよう制御する請求項１〜５のいずれか一項に記載の写真プリント提供装置。
【請求項７】
上記前景画像または後景画像と関連する画像のらくがき入力を可能とする編集手段を備えている請求項１〜６のいずれか一項に記載の写真プリント提供装置。
【請求項８】
上記記憶手段に記憶された前景画像と後景画像のなかから所望の前景画像および／または後景画像の選択を可能にするとともに、上記選択可能な前景画像および／または後景画像に対して人物像が合成された状態で表示して選択入力を受け付ける選択手段を備えている請求項１〜７のいずれか一項に記載の写真プリント提供装置。
【請求項９】
被写体の撮像映像を取得する撮影手段と、被写体の前景に合成される前景画像および被写体の後景に合成される後景画像を記憶する記憶手段とを準備し、上記撮影手段による撮像映像から被写体を抽出するとともに抽出された被写体以外の部分に上記後景画像を合成する後景合成ステップと、上記後景合成ステップで合成された画像に上記前景画像を合成する前景合成ステップと、上記前景合成ステップで合成された合成映像を表示手段にリアルタイムに上記合成映像を表示するとともに、上記撮影手段のシャッタ動作を制御するステップとを実行することを特徴とする写真プリント提供装置。
【請求項１０】
被写体の撮像映像を取得する撮影手段と、被写体の前景に合成される前景画像および被写体の後景に合成される後景画像を記憶する記憶手段とを備えた写真プリント提供装置における写真提供プログラムであって、上記撮影手段による撮像映像から被写体を抽出するとともに抽出された被写体以外の部分に上記後景画像を合成する後景合成ステップと、上記後景合成ステップで合成された画像に上記前景画像を合成する前景合成ステップと、上記前景合成ステップで合成された合成映像を表示手段にリアルタイムに合成映像を表示するとともに、上記撮影手段のシャッタ動作を制御するステップとをコンピュータ装置に実行させることを特徴とする写真プリント提供プログラム。
【手続補正３】
【補正対象書類名】明細書
【補正対象項目名】０００１
【補正方法】変更
【補正の内容】
【０００１】
【発明の属する技術分野】
本発明は、ゲームセンター等に設置され、硬貨等の投入により使用者を撮影し、撮影画像をプリントして販売する写真プリント提供装置および方法ならびにプログラムに関するものである。
【手続補正４】
【補正対象書類名】明細書
【補正対象項目名】０００８
【補正方法】変更
【補正の内容】
【０００８】
本発明は、このような事情に鑑みなされたもので、被写体に合成画像を確認させる表示用の合成手段と、写真プリントを印刷する出力用の合成手段とを別個に設けることにより、高画質データを効率よく扱うことができる写真プリント提供装置および方法ならびにプログラムの提供を目的とする。
【手続補正５】
【補正対象書類名】明細書
【補正対象項目名】０００９
【補正方法】変更
【補正の内容】
【０００９】
【課題を解決するための手段】
上記の目的を達成するため、本発明の写真プリント提供装置は、被写体の撮像映像を取得する撮影手段と、被写体の前景に合成される前景画像および被写体の後景に合成される後景画像を記憶する記憶手段と、上記撮影手段による撮像映像から被写体を抽出するとともに抽出された被写体以外の部分に上記後景画像を合成する後景合成手段と、上記後景合成手段で合成された画像に上記前景画像を合成する前景合成手段と、上記後景合成手段および前景合成手段で合成された合成映像を表示する表示手段と、上記表示手段にリアルタイムに上記合成映像を表示するとともに、上記撮影手段のシャッタ動作を制御する制御手段とを備えたことを要旨とする。
【手続補正６】
【補正対象書類名】明細書
【補正対象項目名】００１０
【補正方法】変更
【補正の内容】
【００１０】
また、本発明の写真プリント提供方法は、被写体の撮像映像を取得する撮影手段と、被写体の前景に合成される前景画像および被写体の後景に合成される後景画像を記憶する記憶手段とを準備し、上記撮影手段による撮像映像から被写体を抽出するとともに抽出された被写体以外の部分に上記後景画像を合成する後景合成ステップと、上記後景合成ステップで合成された画像に上記前景画像を合成する前景合成ステップと、上記前景合成ステップで合成された合成映像を表示手段にリアルタイムに上記合成映像を表示するとともに、上記撮影手段のシャッタ動作を制御するステップとを実行することを要旨とする。
【手続補正７】
【補正対象書類名】明細書
【補正対象項目名】００１１
【補正方法】変更
【補正の内容】
【００１１】
また、本発明の写真プリント提供プログラムは、被写体の撮像映像を取得する撮影手段と、被写体の前景に合成される前景画像および被写体の後景に合成される後景画像を記憶する記憶手段とを備えた写真プリント提供装置における写真提供プログラムであって、上記撮影手段による撮像映像から被写体を抽出するとともに抽出された被写体以外の部分に上記後景画像を合成する後景合成ステップと、上記後景合成ステップで合成された画像に上記前景画像を合成する前景合成ステップと、上記前景合成ステップで合成された合成映像を表示手段にリアルタイムに合成映像を表示するとともに、上記撮影手段のシャッタ動作を制御するステップとをコンピュータ装置に実行させることを要旨とする
【手続補正８】
【補正対象書類名】明細書
【補正対象項目名】００１２
【補正方法】変更
【補正の内容】
【００１２】
すなわち、本発明は、カメラによる撮像映像と前景画像および後景画像との合成映像を表示手段に表示しながら撮像映像の確認やシャッタ操作を行うことができる。
【手続補正９】
【補正対象書類名】明細書
【補正対象項目名】００１３
【補正方法】変更
【補正の内容】
【００１３】
本発明において、上記前景合成手段は、上記前景画像を領域ごとに合成状態を定義する定義情報に基づいて合成を行う場合には、多様な合成表現が楽しめるプレイを提供できるうえ、そのような多様な合成表現がなされた写真プリントを提供することができる。
【手続補正１０】
【補正対象書類名】明細書
【補正対象項目名】００１４
【補正方法】変更
【補正の内容】
【００１４】
本発明において、上記制御手段は、表示手段にリアルタイムに合成映像を表示する際、撮像映像の上下を逆転するとともに前景画像および後景画像の上下をそのままの状態にした合成映像を表示手段に表示する場合には、
例えば、撮影画像の上下を逆転した状態で正常に見えるような画像パターンの合成画像を使用する場合、シャッタ操作の前の合成映像の確認の際に、正常な合成映像を確認することができる。
この場合において、複数の前景画像および後景画像を使用して複数回の撮影を行ない、上記所定の画像パターンの合成画像を使用した撮影のときに、自動的に撮影画像の上下が逆転した合成画像を生成するようにした場合には、複数回の撮影の中に撮影画像が逆転した合成画像による撮影が行なわれ、変化のあるプレイを提供できるようになり、多様な合成表現がなされた写真プリントを提供することができる。
【手続補正１１】
【補正対象書類名】明細書
【補正対象項目名】００１５
【補正方法】変更
【補正の内容】
【００１５】
本発明において、上記前景画像および／または後景画像が動画像であり、上記制御手段は、撮影手段のシャッタ動作のタイミングにおける合成映像に対応する合成用静止画を取得するよう制御する場合には、撮影ではダイナミックで動きのあるプレイが楽しめるとともに、写真プリントも予想のできない動きのある写真を撮ることができ、変化のある面白みのある写真プリントを提供できる。
【手続補正１２】
【補正対象書類名】明細書
【補正対象項目名】００１６
【補正方法】変更
【補正の内容】
【００１６】
本発明において、上記制御手段は、上記シャッタ動作の前に、上記表示手段による合成映像の表示中に前景画像および／または後景画像の切り換えを可能とするよう制御する場合には、使用者は、リアルタイム表示される使用者自身の撮像映像と、切換表示される前景画像や後景画像とのリアルタイム合成映像を目視確認しながら、順次前景画像や後景画像の切換入力を行ないながら、その合成映像をリアルタイムで目視確認でき、所望の前景画像や後景画像を探したり、前景画像や後景画像の絵柄に合わせたポーズや表情を決めるなど、趣向を凝らしたプレイが可能となる。
【手続補正１３】
【補正対象書類名】明細書
【補正対象項目名】００１７
【補正方法】変更
【補正の内容】
【００１７】
本発明において、上記制御手段は、上記記憶手段に記憶された前景画像と後景画像の組合せの中から、所望の前景画像と後景画像の組合せの選択を可能とするよう制御する場合には、前景画像と後景画像の組合せとして絵柄的に合う組合せをあらかじめ設定し、その組合せ単位で切換入力を行うことにより、使用者は、絵柄や色彩的に合わない組合せを選ぶ心配がなくなるうえ、無駄な操作を省くことができて、前景画像や後景画像を探したり選んだりする時間を実質的に長くすることができる。このため、使用者に考える時間を十分与えたり、反対にプレイ時間を短く設定して顧客回転率を向上させたりすることが可能となる。
【手続補正１４】
【補正対象書類名】明細書
【補正対象項目名】００１８
【補正方法】変更
【補正の内容】
【００１８】
本発明において、上記前景画像または後景画像と関連する画像のらくがき入力を可能とする編集手段を備えている場合には、撮影では、利用者の好みで選択した前景画像や後景画像にリアルタイム合成された合成映像を見ながらその雰囲気を味わいながらプレイを行なうことができ、編集では、上記前景画像または後景画像と関連する画像のらくがき入力を行なうことができる。このように、撮影と編集で一貫した雰囲気を味わうとともに、独自の雰囲気を持った写真プリントを作成することができるのである。
【手続補正１５】
【補正対象書類名】明細書
【補正対象項目名】００１９
【補正方法】変更
【補正の内容】
【００１９】
本発明において、上記記憶手段に記憶された前景画像と後景画像のなかから所望の前景画像および／または後景画像の選択を可能にするとともに、上記選択可能な前景画像および／または後景画像に対して人物像が合成された状態で表示して選択入力を受け付ける選択手段を備えている場合には、人物像を含む画像を表示して選択を行うことにより、合成後のイメージを確認でき、撮影時のポーズをとりやすくなる。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】０３０３
【補正方法】変更
【補正の内容】
【０３０３】
【発明の効果】
以上のように、本発明は、カメラによる撮像映像と前景画像および後景画像との合成映像を表示手段に表示しながら撮像映像の確認やシャッタ操作を行うことができる。
【手続補正３８】
【補正対象書類名】明細書
【補正対象項目名】０３０４
【補正方法】削除
【補正の内容】